(57)【要約】【課題】品質保持期限を加味して補充数を決定することにより、商品の収納個数をより適正なものにすることができる自動販売機を提供すること。【解決手段】コラムに収納された商品ごとに品質保持期限を記憶し、品質保持期限が切れた商品が収納されているコラムからの販売を中止する自動販売機において、前回の商品補充時から今回の商品補充時までに販売された商品の販売数をコラムごとに求め、求めた販売数を今回補充する商品の補充数とする一方（ステップS２）、今回補充する商品の品質保持期限に至るまでの期間に基づいて前記補充数を補正するので（ステップS３）、補充する商品の補充数が品質保持期限を加味したものとなり、商品の収納個数をより適正なものにすることができる。【選択図】        図３
2010061239.tif 000002
【特許請求の範囲】
【請求項１】
コラムに収納された商品ごとに品質保持期限を記憶し、品質保持期限が切れた商品が収納されているコラムからの販売を中止する自動販売機において、
前回の商品補充時から今回の商品補充時までに販売された商品の販売数をコラムごとに求め、求めた販売数を今回補充する商品の補充数とする補充数決定手段と、
今回補充する商品の品質保持期限に至るまでの期間に基づいて前記補充数を補正する補充数補正手段と
を備えたことを特徴とする自動販売機。
【請求項２】
前記補充数補正手段は、今回補充する商品の品質保持期限に至るまでの期間を、３ヶ月未満、３ヶ月以上１年未満、一年以上に分け、それぞれの期間について補正する補充数を増減することを特徴とする請求項１に記載の自動販売機。
【発明の詳細な説明】
【技術分野】
【０００１】
本発明は、賞味期限、消費期限等の品質保持期限を商品ごとに管理する自動販売機に関するものである。
【背景技術】
【０００２】
賞味期限、消費期限等の品質保持期限を管理する自動販売機は、コラムに補充された商品をその補充の順に販売し、かつ、販売の都度、当該コラムの残存数を更新して記憶するものであって、商品補充時にコラム別の商品の補充数と補充した商品の品質保持期限とからなるデータを入力する入力手段（たとえば、リモコン）と、日付の切り替わり時に残存数とデータとを参照し、品質保持期限が切れた商品の残存するコラムからの商品の販売を停止させる手段と、期限切れ商品を搬出すべき旨の指令を操作入力する手段と、指令に基づいて期限切れ商品を搬出する手段とを備えている。
【０００３】
この自動販売機は、商品補充時に入力されたコラム別の商品の補充数と補充した商品の品質保持期限とにより、品質保持期限を商品ごとに管理することができ、商品の品質保持期限が切れた場合には、当該商品が残存するコラムからの商品の販売を停止する（売り切れ）。そして、商品補充時等に期限切れ商品を搬出すべき旨の指令が操作入力されると、販売が停止されたコラムから期限が切れた商品をすべて搬出する（たとえば、特許文献１参照）。
【０００４】
【特許文献１】特開平３−２７１８９１号公報
【発明の開示】
【発明が解決しようとする課題】
【０００５】
ところで、品質保持期限に至るまでの期間が短い商品を多量に補充すると、販売するまでに品質保持期限が切れてしまうことがある。
【０００６】
本発明は、上記実情に鑑みて、品質保持期限を加味して補充数を決定することにより、商品の収納個数をより適正なものにすることができる自動販売機を提供することを目的とする。
【課題を解決するための手段】
【０００７】
上記の目的を達成するために、本発明の請求項１に係る自動販売機は、コラムに収納された商品ごとに品質保持期限を記憶し、品質保持期限が切れた商品が収納されているコラムからの販売を中止する自動販売機において、前回の商品補充時から今回の商品補充時までに販売された商品の販売数をコラムごとに求め、求めた販売数を今回補充する商品の補充数とする補充数決定手段と、今回補充する商品の品質保持期限に至るまでの期間に基づいて前記補充数を補正する補充数補正手段とを備えたことを特徴とする。
【０００８】
また、本発明の請求項２に係る自動販売機は、上記請求項１において、前記補充数補正手段は、今回補充する商品の品質保持期限に至るまでの期間を、３ヶ月未満、３ヶ月以上１年未満、一年以上に分け、それぞれの期間について補正する補充数を増減することを特徴とする。
【発明の効果】
【０００９】
本発明に係る自動販売機は、前回の商品補充時から今回の商品補充時までに販売された商品の販売数をコラムごとに求め、求めた販売数を今回補充する商品の補充数とする一方、今回補充する商品の品質保持期限に至るまでの期間に基づいて補充数を補正するので、補充する商品の補充数が品質保持期限を加味したものとなり、商品の収納個数をより適正なものにすることができる。
【発明を実施するための最良の形態】
【００１０】
以下に添付図面を参照して、本発明に係る自動販売機の好適な実施の形態を詳細に説明する。なお、この実施の形態によりこの発明が限定されるものではない。
【００１１】
図１は、本発明の実施の形態である自動販売機の構成を示すブロック図であり、図２は、図１に示した期限管理リモコンの正面図である。
【００１２】
図１に示すように、自動販売機は、一体型表示器２、選択ボタン３、コインメカニズム４、ビルバリデータ５、搬出制御部６の各スレーブを備えており、これらスレーブは主制御部１によって集中管理されるようになっている。
【００１３】
一体型表示器２は、販売中、釣り銭切れ、準備中、お札中止のほか投入金額等の各種情報を表示するためのものである。選択ボタン３は、商品を選択するためのもので、選択ボタンスイッチのほか、販売可能ランプ、売切ランプを備えており、選択ボタン３の押下により商品が選択されるようになっている。コインメカニズム４は、各種硬貨の投入枚数を整理し、主制御部１に送信する一方、主制御部１からの指令に従い、各種硬貨を払い出すようになっている。ビルバリデータ５は、紙幣の投入枚数を整理し、主制御部１に送信する一方、主制御部１からの指令に従い、紙幣を払い出すようになっている。搬出制御部６は、商品収納ラックに画成された通路（以下、この通路を便宜上ラックと称する）ごとに備えられたベンドソレノイドを制御するもので、任意のラックから商品を搬出するようになっている。
【００１４】
主制御部１は、制御部１１、設定記憶部１２、売上処理部１３、時計部１４のほか、期限設定記憶部１５を有している。制御部１１は、一体型表示器２、選択ボタン３、コインメカニズム４、ビルバリデータ５、搬出制御部６等の各スレーブを集中管理するもので、設定記憶部１２に記憶された各種設定データに基づいて各スレーブを制御するようになっている。
【００１５】
設定記憶部１２に記憶される設定は、たとえば、選択ボタン３に関連づけられるコラム、コラム関連付けられるラック、であり、一つの選択ボタン３に複数のコラムを関連付けることもできれば、複数の選択ボタン３に一つのコラムを関連付けることもできるようになっている。また、一つのコラムに関連付けられるラックは一つに限られるものではなく、売れ筋商品などは、一つのコラムに複数のラックを関連づけることもできるようになっている（ＯＣＭ）。なお、このように、一つのコラムに複数のラックを関連付けた場合には、関連付けられたラックから交互に商品が販売されるようになっている。
【００１６】
売上処理部１３は、各種売上データの演算処理を行うとともに、その結果を記憶するようになっており、コラムごとに商品の販売数を出力することが可能となっている。
【００１７】
時計部１４は、時刻を計時する部分であり、現在の日時（年月日）に変換するようになっている。時計部１４は、たとえば、時計ＩＣ等で構成されている。
【００１８】
期限設定記憶部１５は、コラム（ラック）に収納された商品の品質保持期限（賞味期限あるいは消費期限）を個別に記憶する部分であり、商品の品質保持期限をコラムごとに、かつ、個別に記憶するようになっている。そして、制御部１１は、時計部１４から取得した現在の日時（年月日）と、期限設定記憶部１５に記憶された商品の品質保持期限とを比較して、商品ごとに品質保持期限が切れているか否かを判定するようになっている（期限切れ判定手段）。そして、つぎに販売する商品の品質保持期限が切れていると判定した場合には、その商品が収納されているコラムからの商品の販売を中止するようになっている。
【００１９】
また、主制御部１には、リモコン７のほか、期限管理リモコン８が接続してある。
【００２０】
リモコン７は、各種設定操作、各種売上データの確認操作を行うためのもので、操作キー、冷温切換スイッチのほか、各種メニュー、各種設定データや確認データが表示されるモニタ（たとえば、液晶キャラクタディスプレイ）を備えている。リモコン７から設定入力された設定データは主制御部１に送信され、設定記憶部１２に記憶されるようになっており、主制御部１から送信された確認データはモニタに表示されるようになっている。
【００２１】
期限管理リモコン８は、期限管理設定操作、期限データの確認操作のほか、補充数の確認操作を行うためのもので、図２に示すように、設定キー、補充キー、補充完了キーなどの操作キー８１のほか、各種メニュー、各種設定データや確認データが表示されるモニタ８２（たとえば、液晶キャラクタディスプレイ）を備えている。そして、期限管理リモコン８からコラムごとに、かつ、個別に入力された商品の品質保持期限は主制御部１に送信され、期限設定記憶部１５に記憶されるようになっており、主制御部１から送信された期限データ、補充数はモニタ８２に表示されるようになっている。
【００２２】
また、商品の補充時に期限管理リモコン８から補充キーが操作されると、制御部１１は、売上処理部１３から前回の商品補充時から今回の商品補充時までに販売された販売数を求め、求めた販売数を今回補充する商品の補充数とするようになっている（補充数決定手段）。
【００２３】
そして、期限管理リモコン８から今回補充する商品の品質保持期限が入力されると、制御部１１は、今回補充する商品の品質保持期限に至るまでの期間を算出し、算出した期間に基づいて補充数を補正するようになっている（補充数補正手段）。たとえば、補充する商品の品質保持期限に至るまでの期間が３ヶ月未満の場合には補充数を一つ減らし、一年以上の場合には補充数を一つ増やすように補正するようになっている。
【００２４】
つぎに、図３に基づいて、商品の補充数表示手順を説明する。なお、図３は、商品の補充数表示手順を説明するフローチャートである。
【００２５】
図３に示すように、期限管理リモコン８の補充キーを操作することにより、商品の補充数表示を開始すると、制御部１１は、適正補充設定がなされているか否かを判定する（ステップＳ１）。適正補充設定が成されている場合には（ステップＳ１：Ｙｅｓ）、売上処理部１３を参照し、補充数を計算する。すなわち、前回の補充時から今回の補充時までに販売された販売数を求め、求めた販売数を補充数とする（ステップＳ２）。
【００２６】
つぎに、制御部１１は、期限管理リモコン８から入力された今回補充する商品の品質保持期限に至るまでの期間を算出し、算出した期間に基づいて補充数を補正する（ステップS３）。
【００２７】
たとえば、図４に示す例では、補充する商品の品質保持期限に至るまでの期間が３ヶ月未満の場合には補充数を一つ減らし、一年以上の場合には補充数を一つ増やすように補正するようになっている。この場合において、販売数が３、在庫数が５、満杯数が１０であるとすると補充数は３となる。ここで、補充する商品の品質保持期間に至るまでの期間が３ヶ月未満であるとすると補充数を一つ減らす補正を行うので、補正後の補充数は２となる。一方、補充する商品の品質保持期間に至るまでの期間が一年以上であるとすると補充数を一つ増やす補正を行うので、補正後の補充数は４となる。他方、補充する商品の品質保持期間に至るまでの期間が３ヶ月以上一年未満の場合には増減させないので、補正後の補充数はそのまま３となる。
【００２８】
そして、補正された補充数は今回補充数として、期限管理リモコン８に送信し、モニタ８２に表示する（ステップS４）。
【００２９】
一方、適正補充設定がなされていない場合には（ステップS１：No）、満杯補充であるから、制御部１１は、満杯数と在庫数との差を求め（ステップS５）、この値を今回補充数として、期限管理リモコン８に送信し、モニタ８に表示する。
【００３０】
上述した自動販売機によれば、制御部１１が前回の商品補充時から今回の商品補充時までに販売された商品の販売数をコラムごとに求め、求めた販売数を今回補充する商品の補充数とする一方、今回補充する商品の品質保持期限に至るまでの期間に基づいて補充数を補正するので、補充する商品の補充数が品質保持期限を加味したものとなり、商品の収納個数をより適正なものにすることができる。
【図面の簡単な説明】
【００３１】
【図１】本発明の実施の形態である自動販売機の構成を示すブロック図である。
【図２】図１に示した期限管理リモコンの正面図である。
【図３】商品の補充数表示手順を示すフローチャートである。
【図４】図３に示した手順により求められた商品の補充数を示す図である。
【符号の説明】
【００３２】
１    主制御部
１１    制御部
１２    設定記憶部
１３    売上処理部
１４    時計部
１５    期限設定記憶部
２    一体型表示器
３    選択ボタン
４    コインメカニズム
５    ビルバリデータ
６    搬出制御部
７    リモコン
８    期限管理リモコン
８１    操作キー
８２    モニタ
【図１】
2010061239.tif 000003
【図２】
2010061239.tif 000004
【図３】
2010061239.tif 000005
【図４】
2010061239.tif 000006